(57)【要約】【課題】既設枠への取り付けが容易な改装サッシユニット等を提供する。【解決手段】室内外を連通する開口に設けられている既設サッシの既設枠に設けられる改装サッシユニットであって、新たに設けられる改装サッシと、室外側に配置され前記改装サッシの改装枠に係合又は固定される金属部分、及び、室内側に配置されるとともに前記金属部分と連結されて躯体に固定される非金属部分を有し、前記改装枠に取り付けられる下地枠と、を備えている。【選択図】図１
2011074681.tif 000002
【特許請求の範囲】
【請求項１】
室内外を連通する開口に設けられている既設サッシの既設枠に設けられる改装サッシユニットであって、
新たに設けられる改装サッシと、
室外側に配置され前記改装サッシの改装枠に係合又は固定される金属部分、及び、室内側に配置されるとともに前記金属部分と連結されて躯体に固定される非金属部分を有し、前記改装枠に取り付けられる下地枠と、
を備えていることを特徴とする改装サッシユニット。
【請求項２】
請求項１に記載の改装サッシユニットであって、
前記金属部分は、前記既設枠の室外側に設けられて室外に臨む面を形成する部位に係合されていることを特徴とする改装サッシユニット。
【請求項３】
請求項２に記載の改装サッシユニットであって、
前記既設枠の前記室外に臨む面を形成する部位は、前記既設サッシの網戸と係合する部位であることを特徴とする改装サッシユニット。
【請求項４】
請求項１乃至請求項３のいずれかに記載の改装サッシユニットであって、
前記改装枠は、直接又は取付部材を介して、前記非金属部分に固定されることを特徴とする改装サッシユニット。
【請求項５】
請求項１乃至請求項４のいずれかに記載の改装サッシユニットであって、
前記金属部分と前記改装枠との間に水密材が全周に亘って設けられていることを特徴とする改装サッシユニット。
【請求項６】
請求項１乃至請求項５のいずれかに記載の改装サッシユニットであって、
前記金属部分は前記非金属部分と隔離された隔離空間を有し、前記下地枠の縦材の隔離空間と前記下地枠の横材の隔離空間とは連通していることを特徴とする改装サッシユニット。
【請求項７】
室内外を連通する開口に設けられている既設サッシの既設枠に設けられる改装サッシユニットの取付方法であって、
新たに設けられる改装サッシに、室外側に配置され前記改装サッシの改装枠に係合又は固定される金属部分、及び、室内側に配置されるとともに前記金属部分と連結されて躯体に固定される非金属部分を有する下地枠を取り付ける下地枠取付工程と、
前記改装サッシに固定された下地枠を前記躯体に固定する下地枠固定工程と、を有することを特徴とする改装サッシユニットの取付方法。
【発明の詳細な説明】
【技術分野】
【０００１】
本発明は、既設サッシの既設枠に設けられる改装サッシユニット及び改装サッシユニットの取付方法に関する。
【背景技術】
【０００２】
改装サッシユニットとしては、建物の開口部に設けられた既設サッシの既設枠の内周側にベース材を介して取り付けられるリフォームサッシが知られている（例えば、特許文献１参照）。  
このようなリフォームサッシは、既設枠が有する上枠、下枠、左右の縦枠にベース材を取り付けることにより新設するリフォームサッシが固定される取付壁を形成し、リフォームサッシが有する、枠組みされた枠体を取付壁にビスにて固定している。
【先行技術文献】
【特許文献】
【０００３】
【特許文献１】特開２００８−２２３２８６号公報
【発明の概要】
【発明が解決しようとする課題】
【０００４】
上記のようなリフォームサッシは、施工現場にて、まずベース材を既設枠に取り付け、取り付けられたベース材にリフォームサッシを取り付けるので、２つの工程を現場で行わなければならない。また、既設枠との取り合い部分における位置やサイズの調整を、設備の揃わない現場で行わなければならず、作業が煩雑であるという課題がある。
【０００５】
本発明は、かかる課題に鑑みてなされたものであり、その目的とするところは、既設枠への取り付けが容易な改装サッシユニット及び改装サッシユニットの取付方法を提供することにある。
【課題を解決するための手段】
【０００６】
かかる目的を達成するために本発明の改装サッシユニットは、室内外を連通する開口に設けられている既設サッシの既設枠に設けられる改装サッシユニットであって、新たに設けられる改装サッシと、室外側に配置され前記改装サッシの改装枠に係合又は固定される金属部分、及び、室内側に配置されるとともに前記金属部分と連結されて躯体に固定される非金属部分を有し、前記改装枠に取り付けられる下地枠と、を備えていることを特徴とする改装サッシユニットである。
【０００７】
このような改装サッシユニットによれば、新たに設けられる改装サッシの改装枠には下地枠が取り付けられているので、施工現場では、下地枠が取り付けられた改装枠を既設枠に固定するだけで改装サッシを備えることが可能である。このため、容易に改装枠を取り付けることが可能である。また、下地枠は、室外側に配置されて改装サッシの改装枠に係合又は固定される金属部分、及び、室内側に配置されるとともに金属部分と連結されて躯体に固定される非金属部分を有しているので、室外側にて金属部分を係合又は固定して位置決めし、室内側の非金属部分を既設枠に合わせて加工して躯体に固定することにより改装サッシを取り付けることが可能である。このため、既設枠に合わせて加工する部位は非金属部分なので加工が容易であり、設備が揃わない現場での作業であっても容易に改装サッシを取り付けることが可能である。また、下地枠が室外側に金属部分を有し、室内側に非金属部分を有しているので、室外の熱が下地枠により室内側に伝達されることはない。このため、断熱性を有する改装サッシユニットを提供することが可能である。
【０００８】
かかる改装サッシユニットであって、前記金属部分は、前記既設枠の室外側に設けられて室外に臨む面を形成する部位に係合されていることが望ましい。  
このような改装サッシユニットによれば、下地枠の金属部分が既設枠の室外側に設けられて室外に臨む面を形成する部位に係合されるので、位置決めが容易である。
【０００９】
かかる改装サッシユニットであって、前記既設枠の前記室外に臨む面を形成する部位は、前記既設サッシの網戸と係合する部位であることが望ましい。
【００１０】
既設サッシの網戸と係合する部位、すなわち、網戸が案内されるレールや網戸の縦框と係合する部位なので、枠組みされた既設枠の４辺にいずれも最も室外側に設けられており、見込み方向における位置の基準として扱いやすい。このため、上記改装サッシユニットによれば、下地枠の金属部分が既設サッシの網戸と係合する部位を見込み方向の基準として係合又は固定されることにより、改装サッシを傾かせることなく適切な位置に取り付けることが可能である。ここで、下地枠の金属部分は、必ずしも既設枠の４辺に係合又は固定されている必要はなく、上下の網戸用レールのみ、又は、網戸の縦框と係合する部位のみに係合又は固定されていても良い。
【００１１】
かかる改装サッシユニットであって、前記改装枠は、直接又は取付部材を介して、前記非金属部分に固定されることが望ましい。  
このような改装サッシユニットによれば、改装枠が固定される部位は非金属部分なので、金属部分より取り付けられる位置の制約を受け難い。このため、互いにサイズの異なる改装枠であっても同一の下地枠に取り付けることが可能であり、汎用性の高い改装サッシユニットを実現することが可能である。また、改装枠と下地枠の非金属部分との間に取付部材が介在されている場合には、取付部材の位置を調整することにより、さらに汎用性が高い改装サッシユニットを実現することが可能である。
【００１２】
かかる改装サッシユニットであって、前記金属部分と前記改装枠との間に水密材が全周に亘って設けられていることが望ましい。  
このような改装サッシユニットによれば、金属部分は非金属部分の室外側にあり、金属部分と改装枠との間に水密材が設けられているので、非金属部分側には水が浸入しない。このため、水密性に優れた改装サッシユニットを提供することが可能である。
【００１３】
かかる改装サッシユニットであって、前記金属部分は前記非金属部分と隔離された隔離空間を有し、前記下地枠の縦材の隔離空間と前記下地枠の横材の隔離空間とは連通していることが望ましい。  
このようなサッシユニットによれば、下地枠の縦材の隔離空間と下地枠の横材とは、互いに連通して非金属部分から隔離された隔離空間を有しているので、室外側から浸入する水を、非金属部分側に至らせることなく、隔離空間を利用して排出することが可能である。
【００１４】
また、室内外を連通する開口に設けられている既設サッシの既設枠に設けられる改装サッシユニットの取付方法であって、新たに設けられる改装サッシに、室外側に配置され前記改装サッシの改装枠に係合又は固定される金属部分、及び、室内側に配置されるとともに前記金属部分と連結されて躯体に固定される非金属部分を有する下地枠を取り付ける下地枠取付工程と、前記改装サッシに固定された下地枠を前記躯体に固定する下地枠固定工程と、を有することを特徴とする改装サッシユニットの取付方法である。
【００１５】
このような改装サッシユニットの取付方法によれば、新たに設けられる改装サッシの改装枠には下地枠が取り付けられているので、施工現場では、下地枠が取り付けられた改装枠を既設枠に固定するだけで、容易に改装サッシを既設サッシに取り付けることが可能である。また、室外側に配置されて改装サッシの改装枠に係合又は固定される金属部分、及び、室内側に配置されるとともに金属部分と連結されて躯体に固定される非金属部分を有する下地枠を、室外側にて金属部分を係合又は固定させて位置決めし、室内側の非金属部分を既設枠に合わせて加工して躯体に固定することにより改装サッシを取り付けることが可能である。このため、非金属部分の加工は容易なので、設備が揃わない現場での作業であっても容易に改装サッシを取り付けることが可能である。
【発明の効果】
【００１６】
本発明によれば、既設枠への取り付けが容易な改装サッシユニット及び改装サッシユニットの取付方法を提供することが可能である。
【図面の簡単な説明】
【００１７】
【図１】本実施形態に係る改装サッシユニット及び改装サッシユニットの取付方法を説明するための斜視図である。
【図２】本実施形態に係る改装サッシユニットを説明するための縦断面図である。
【図３】本実施形態に係る改装サッシユニットを説明するための水平断面図である。
【発明を実施するための形態】
【００１８】
以下、本発明の一実施形態に係る改装サッシユニット及び改装サッシユニットの取付方法について図面を参照して説明する。
【００１９】
本実施形態の改装サッシユニット１は、例えば、新たに設けられる改装サッシ１０と、建物の室内外を連通する開口２に設けられている既設サッシの既設枠５０に前記改装サッシ１０を取り付けるための下地枠３０と、を有している。本実施形態では、図１に示すように、屋内外を連通する開口２に既設枠５０が設けられている。
【００２０】
以下の説明においては、建物等に取り付けられた状態の既設枠５０及び改装サッシ１０を屋内側から見たときに、上下となる方向を上下方向、左右となる方向を左右方向または見付け方向、屋内外方向である奥行き方向を見込み方向として示す。また、改装サッシユニットが備える各部材は、単体の状態であっても開口２に取り付けられた状態で上下方向、見付け方向、見込み方向等となる方向にて方向を特定して説明する。また、開口の上部に取り付けられる枠部材の下側、開口２の下部に取り付けられる枠部材の上側、開口２の左側に取り付けられる枠部材の右側、開口２の右側に取り付けられる部材の左側は、開口２の中央側に位置している。
【００２１】
本実施形態においては、建物に既に設けられている既存の既設枠５０と、既設枠５０を開口２の内側から覆うように改装される改装サッシ１０とが登場するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装縦枠、改装障子等として説明する。
【００２２】
既設サッシの既設枠５０は、引き違い障子用の枠体であり、既設サッシの既設障子（不図示）が案内される既設レール５１ａ、５１ｂ、５２ａ、５２ｂを有する既設上枠５１及び既設下枠５２と、既設障子の既設戸先框（不図示）と係合する既設係合片５３ａを有する左右の既設縦枠５３とが矩形状に枠組みされて開口２に設けられている。尚、既設上枠５１、既設下枠５２、及び、左右の既設縦枠５３は押出成形部材であり、左右の既設縦枠は、既設障子と係合する既設係合片５３ａの位置は異なるものの、ほぼ互いに左右対称の形状をなしている。
【００２３】
既設枠５０は、既設上枠５１が躯体３をなす窓まぐさ３ａに、既設下枠５２が躯体３をなす窓台３ｂに、左右の既設縦枠５３が躯体３をなす柱（方立）３ｃにそれぞれ固定されている。既設上枠５１、既設下枠５２、既設縦枠５３は、いずれも、見込み方向において、窓まぐさ３ａ、窓台３ｂ、柱３ｃのほぼ半分から屋外側に設けられている。
【００２４】
既設上枠５１は、既設内障子（不図示）を案内するための既設内上レール５１ａと、既設外障子（不図示）を案内するための既設外上レール５１ｂと、既設網戸（不図示）を案内するための既設網戸上レール５１ｃとが、見込み方向に互いに間隔を隔てて設けられている。
【００２５】
既設内上レール５１ａと、既設外上レール５１ｂと、既設網戸上レール５１ｃとは、既設上枠５１の見付け方向の全域に渡って鉛直方向に垂設されている。ここで、既設網戸上レール５１ｃは、既設枠５０の屋外側に設けられ、屋外に臨む面５１ｄを形成する部位である。既設上枠５１は、既設内上レール５１ａと既設外上レール５１ｂとを繋ぐ部位が躯体３をなす窓まぐさ３ａにビスにて固定されている。
【００２６】
既設下枠５２は、既設内障子（不図示）を案内するための既設内レール５２ａと、既設外障子（不図示）を案内するための既設外レール５２ｂと、既設網戸（不図示）を案内するための既設網戸下レール５２ｃとが、見込み方向に互いに間隔を隔てて設けられている。既設内レール５２ａと、既設外レール５２ｂと、既設網戸下レール５２ｃとは、既設下枠５２の見付け方向の全域に渡って上方に突出させて設けられている。
【００２７】
既設網戸下レール５２ｃは、躯体３をなす窓台３ｂより屋外側に設けられており、窓台３ｂの上面より下方に延出されて窓台３ｂに固定される窓台固定部５２ｄを有している。ここで、窓台固定部５２ｄは、既設枠５０の屋外側に設けられ、室外に臨む面を形成する部位である。既設下枠５２は、屋内側の端部と屋外側の端部に設けられた窓台固定部５２ｄとがビスにて窓台３ｂに固定されている。
【００２８】
既設縦枠５３は、見込み方向に沿う平面でなる既設縦枠本体部５３ｂと、既設縦枠本体部５３ｂから開口２の中央側に突出され既設障子の既設戸先框が係合される既設係合片５３ａと、既設枠５０の屋外側にて配置され既設縦枠本体部５３ｂから開口２の中央側に突出され既設網戸の既設縦框に挿入される既設挿入片５３ｄと、既設挿入片５３ｄと見付け方向において反対側に突出された縁部５３ｅと、を有している。ここで、既設挿入片５３ｄは、既設枠５０の屋外側に設けられ、室外に臨む面を形成する部位である。
【００２９】
改装サッシ１０は、建物等の開口に直接新設可能な一般的なサッシである。すなわち、改装専用のサッシではない。改装サッシ１０の改装枠２０も引き違い障子用の枠体であり、改装サッシ１０の改装障子１２が案内される改装レール２１ａ、２１ｂ、２２ａ、２２ｂを有する改装上枠２１及び改装下枠２２と、左右の改装縦枠２３が矩形状に枠組みされている。枠組みされた改装枠２０の外周には、後述する下地枠３０が組み付けられる。尚、改装上枠２１、改装下枠２２、及び、左右の改装縦枠２３は押出成形部材であり、左右の改装縦枠２３は改装障子１２ａ、１２ｂとの改装係合片２３ａを除いて互いに左右対称の形状をなしている。
【００３０】
改装上枠２１は、改装内障子１２ａを案内するための改装内上レール２１ａと、改装外障子１２ｂを案内するための改装外上レール２１ｂと、改装網戸１４を案内するための改装網戸上レール２１ｃとが、見込み方向に互いに間隔を隔てて設けられている。改装内上レール２１ａと、改装外上レール２１ｂと、改装網戸上レール２１ｃとは、改装上枠２１の見付け方向の全域に渡って鉛直方向に垂設されている。また、改装網戸上レール２１ｃは、改装上枠２１の最も屋外側に設けられている。
【００３１】
改装上枠２１の屋内側の端部は、後述する下地枠３０に設けられた取付部材としての保持金具４０に当接される平面を有する屋内側当接部２１ｄが設けられている。屋内側当接部２１ｄには、保持金具４０がビス６５にて固定される。ここで、ビス６５は金属に螺合されるセルフタップねじである。また、改装上枠２１の改装内上レール２１ａと改装外上レール２１ｂとの間にて分断されており、屋外側の部位と屋内側の部位とが樹脂２４を介して接合されて断熱性が確保されている。改装上枠２１の上部には、改装外上レール２１ｂと樹脂２４との間に位置させて、下地上枠３１と接合するためのビス６６が螺合されるタップ孔が形成されている。
【００３２】
改装上枠２１は、屋内側当接部２１ｄと改装内上レール２１ａとを繋ぐ部位が、後述する下地枠３０の屋内側の部位を覆う覆い部材２５とともに下地枠３０にビス６４ａにて直接固定されている。ここで、ビス６４ａは木部に螺合される木ねじである。
【００３３】
改装下枠２２は、改装内障子１２ａを案内するための改装内レール２２ａと、改装外障子１２ｂを案内するための改装外レール２２ｂと、改装網戸１４を案内するための改装網戸下レール２２ｃとが、見込み方向に互いに間隔を隔てて設けられている。改装下枠２２の屋内側の端部は、改装サッシ１０の屋内側に設けられた額縁６０に当接される平面を有する額縁当接部２２ｄが設けられている。額縁当接部２２ｄの下端は、後述する下地枠３０に設けられた取付部材としての保持金具４１に当接されるとともに、保持金具４１に設けられた取付片４１ａにビス６５にて固定される。
【００３４】
額縁当接部２２ｄと改装内レール２２ａとを繋ぐ部位のほぼ中央には、下方に延出されて保持金具４１に支持される屋内側脚部２２ｅと、改装内レール２２ａの下方に延出されて下地枠３０に支持される中央脚部２２ｆと、改装外レール２２ｂの下方に延出されて下地枠３０に支持される屋外側脚部２２ｇと、を有し、中央脚部２２ｆと屋外側脚部２２ｇとが下端側にて連結された連結部２２ｈを有している。また、連結部２２ｈから屋外側に、改装網戸下レール２２ｃとほぼ同じ位置まで延出された延出部２２ｉが形成され、延出部２２ｉの先端には、下地下枠３２と係合する下地係合部２２ｋが設けられている。
【００３５】
改装縦枠２３は、見込み方向に沿う平面を有する改装縦枠本体部２３ｂと、改装縦枠本体部２３ｂから開口２の中央側に突出され改装障子１２ａ、１２ｂの改装戸先框１２ｃが係合される改装係合片２３ａと、改装枠２０の最も屋外側に配置され改装縦枠本体部２３ｂから開口２の中央側に突出され改装網戸１４の改装縦框１４ａに挿入される改装挿入片２３ｄと、改装枠２０の最も屋外側に配置され改装挿入片２３ｄと見付け方向において反対側に突出された縁部２３ｅと、を有している。
【００３６】
また、改装縦枠２３の屋内側の端部は、後述する下地枠３０に設けられた取付部材としての保持金具４０に当接される平面を有する屋内側当接部２３ｃが設けられている。
【００３７】
改装縦枠２３の最も屋外側に配置された改装挿入片２３ｄと縁部２３ｅとは、屋外側に臨む外向平面２３ｆを形成している。
【００３８】
下地枠３０は、横材としての下地上枠３１、下地下枠３２、左右に配置される縦材としての下地縦枠３３を有し、改装サッシ１０の改装枠２０に各々が取り付けられるとともに、隣接する部位がビス止めされて枠組みされる。
【００３９】
下地上枠３１、下地下枠３２、左右の下地縦枠３３はいずれも、屋外側に配置される金属部分としてのアルミニウム製のアルミ枠部３１ａ、３２ａ、３３ａと、屋内側に配置される非金属部分としての木製の木枠部３１ｂ、３２ｂ、３３ｂとを有し、アルミ枠部３１ａ、３２ａ、３３ａと木枠部３１ｂ、３２ｂ、３３ｂとがビス６４ｂにて固定されている。ここで、ビス６４ｂは木部に螺合される木ねじである。
【００４０】
下地上枠３１、下地下枠３２、左右の下地縦枠３３の木枠部３１ｂ、３２ｂ、３３ｂは、平板状をなしており、窓まぐさ３ａ、窓台３ｂ、柱３ｃの開口を形成する面と対面するように配置され、下地上枠３１と左右の下地縦枠３３との木枠部３１ｂ、３３ｂは、窓まぐさ３ａ、柱３ｃの見込み方向の幅における約２／３の幅を有し、下地下枠３２の木枠部３２ｂは、窓台３ｂの見込み方向の幅における約半分の幅を有している。
【００４１】
下地上枠３１のアルミ枠部３１ａは、木枠部３１ｂの屋外側の端が挿入される溝部３１ｃと、溝部３１ｃの屋外側の壁部３１ｄを共有して溝部３１ｃの屋外側に形成され、木枠部３１ｂとは隔離された隔離空間としての中空部３１ｅとを有している。中空部３１ｅは、最も屋外側に配置され屋外に臨む面３１ｉを形成する上外面部３１ｆと、上外面部３１ｆの上端と溝部３１ｃとを繋ぐ上面部３１ｇと、上外面部３１ｆの下端と溝部３１ｃとを繋ぎ改装枠２０と対面する下面部３１ｈと、を有している。上外面部３１ｆは、下地上枠３１が改装上枠２１に取り付けられた際に、上外面部３１ｆの屋外に臨む面３１ｉと改装網戸上レール２１ｃの屋外に臨む面２１ｅとが平坦になるように構成されている。
【００４２】
溝部３１ｃと中空部３１ｅとが共有する壁部３１ｄ、上外面部３１ｆ、及び、下面部３１ｈにおける壁部３１ｄと上外面部３１ｆとの中間の部位からは下方に突出して改装枠２０に当接される当接突起３１ｊが設けられている。また、上面部３１ｇは、上外面部３１ｆと繋がる水平な外端部３１ｋが溝部３１ｃと繋がる水平な溝側部位３１ｌより低い位置に設けられているため、外端部３１ｋと溝側部位３１ｌとの間には屋内側に向かって下方に傾斜する中継部３１ｍが設けられている。溝側部位３１ｌには、シール材２９が損傷して屋外側から水が浸入した場合に、水を中空部３１ｅ内に浸入させるための孔部（不図示）が設けられている。また、外端部３１ｋの屋内側の端部は上方に立ち上げられて既設上枠５１の既設網戸上レール５１ｃと対面する上取付片３１ｎが設けられている。
【００４３】
左右の下地縦枠３３は、下地上枠３１と同様に木枠部の屋外側の端が挿入される溝部３３ｃと、溝部３３ｃの屋外側の壁部３３ｄを共有して溝部３３ｃの屋外側に形成され、木枠部３３ｂとは隔離された隔離空間としての中空部３３ｅとを有している。下地縦枠３３の中空部３３ｅは、水平断面がほぼ長方形状をなしている。中空部３３ｅの最も屋外側に配置され屋外に臨む面３３ｉを形成する縦外面部３３ｆは、上外面部３１ｆ及び改装縦枠２３の外向平面２３ｆと同じ平面を形成するように設けられている。また、縦外面部３３ｆは、開口の中央側に延出されるとともに、その先端に、改装縦枠２３の縁部２３ｅと係合する係合部３３ｈが形成されている。中空部３３ｅの、開口２の中央側の壁部には、下地枠３０が枠組みされた際に、下地上枠３１の中空部３３ｅと下地縦枠３３の中空部３３ｅとが連通する連通孔３３ｊ（図２参照）が形成されている。
【００４４】
下地下枠３２は、木枠部３２ｂの屋外側の面と対面する外対面部３２ｃと、木枠部３２ｂの下面と対面する下対面部３２ｄとがＬ字状に形成された木枠対面部３２ｅと、屋外側に配置された中空部３２ｆと、下対面部３２ｄが延出されて中空部３２ｆの上端と連結された連結部３２ｇとを有している。中空部３２ｆの最も屋外側に配置され屋外に臨む平面を形成する下外面部３２ｈは、上外面部３１ｆ、縦外面部３３ｆ、及び、改装下枠２２の改装網戸下レール２２ｃの屋外に臨む面と同じ平面を形成するように設けられている。また、中空部３２ｆの下端の屋外側には、既設下枠５２の窓台固定部５２ｄと対面し、窓台固定部５２ｄとともに窓台３ｂに固定される固定片３２ｉが設けられている。また、中空部３２ｆの屋外側の上端部には、改装下枠２２の下地係合部２２ｋと係合する係合凹部３２ｊが設けられている。
【００４５】
下地枠３０と改装枠２０とは、屋内側において、図１に示すように、取付部材としての保持金具４０、４１を介して固定されている。下地上枠３１及び左右の下地縦枠３３と改装枠２０とを固定する保持金具４０は、断面がＬ字側をなし、Ｌ字型をなす一方の板部４０ａには、２つの貫通孔が設けられており、他方の板部４０ｂには１つの貫通孔設けられている。保持金具４０は、一方の板部４０ａに設けられた２つの貫通孔の一方を貫通する短いビス６４ｂにて下地枠３０の木枠部３１ｂ、３３ｂに固定され、２つの貫通孔の他方を貫通する長いビス６４ｃが下地枠３０の木枠部３１ｂ、３３ｂを貫通して躯体３に螺合されることにより躯体３に固定されている。ここで、ビス６４ｃは木部に螺合される木ねじである。他方の板部４０ｂは、改装上枠２１の屋内側当接部２１ｄ又は改装縦枠２３の屋内側当接部２３ｃに当接されるとともにビス６５にて固定されている。
【００４６】
下地下枠３２と改装枠２０とを固定する保持金具４１は、平板状の板金の一部が曲げ起こされて形成され、曲げ起こされた取付片４１ａを挟むように平板部４１ｂが形成されている。保持金具４１には、取付片４１ａに１つと、平板部４１ｂに２つの貫通孔が設けられている。保持金具４１は、平板部４１ｂに設けられた２つの貫通孔の一方を貫通する短いビス６４ｂにて下地枠３０の木枠部３２ｂに固定され、２つの貫通孔の他方を貫通する長いビス６４ｃが下地枠３０の木枠部３２ｂを貫通して躯体３に螺合されることにより躯体３に固定されている。取付片４１ａは、改装下枠２２が有する額縁当接部２２ｄの下端に当接されるとともにビス６５にて固定されている。
【００４７】
すなわち、保持金具４０、４１はいずれも、下地枠３０の木枠部３１ｂ、３２ｂ、３３ｂに木ねじである短いビス６４ｂにて固定されるので、木枠部３１ｂ、３２ｂ、３３ｂであればいずれの位置にも取り付けることが可能である。このため、保持金具４０、４１の取り付け位置の自由度が高く、改装枠２０と下地枠３０との相対位置に合わせて適切な位置に容易に固定することが可能である。
【００４８】
本実施形態の改装サッシユニット１の取付方法は、まず、改装枠２０を予め工場にて矩形状に枠組みしておく。このとき、改装枠２０の外周側に水密材としてのシール部材２８を全周に亘って設けておく。このシール部材２８は、改装枠２０に下地枠３０が取り付けられた状態で、下地枠３０の木枠部３１ｂ、３２ｂ、３３ｂより屋外側に位置して、アルミ枠部３１ａ、３２ａ、３３ａと改装枠２０とに圧縮された状態で設けられている。
【００４９】
枠組みされた改装枠２０に、下地枠３０を構成する下地上枠３１、下地下枠３２、下地縦枠３３をビス６４ｂ、６６にて固定する。このとき、改装サッシユニット１を取り付ける施工現場の既設枠５０及び既設枠５０が取り付けられている躯体３の寸法に合わせて、下地枠３０が有する下地上枠３１の木枠部３１ｂ、下地下枠３２の木枠部３２ｂ、下地縦枠３３の木枠部３３ｂを切断して調節しておく。
【００５０】
そして、下地上枠３１を改装上枠２１の外周側に配置させるとともに、改装網戸上レール２１ｃの屋外に臨む面２１ｅと上外面部３１ｆの屋外に臨む面３１ｉとが平坦な面を形成するように下地上枠３１を配置させ、上面部３１ｇの溝側部位３１ｌに設けられている孔を貫通させたビス６６にて上方から改装上枠２１に固定する。また、下地縦枠３３を改装縦枠２３の外周側に配置させるとともに、改装縦枠２３の縁部２３ｅと下地縦枠３３の係合部３３ｈとを係合させて、開口２の中央側からビス６４ａにて下地縦枠３３を改装縦枠２３に直接固定する。
【００５１】
次に、改装下枠２２の下地係合部２２ｋと下地下枠３２の係合凹部３２ｊとを係合させて、左右の下地縦枠３３の外周側から下地下枠３２を挟むようにビスにて固定する。このとき、下地上枠３１と下地縦枠３３ともビスにて固定する。この状態にて、下地上枠３１、下地下枠３２、左右の下地縦枠３３が枠組みされるとともに改装枠２０に取り付けられる（下地枠取付工程）。
【００５２】
次に、下地枠３０と改装枠２０とを保持金具４０、４１を介して接合して改装サッシユニット１を形成する。すなわち、改装上枠２１と下地上枠３１、及び、改装縦枠２３と下地縦枠３３を、保持金具４０を介してビス６４ｂ、６５にて固定し、改装下枠２２と下地下枠３２とを、保持金具４１を介してビス６４ｂ、６５にて固定する。ここで、下地枠３０と改装枠２０とを保持金具４０、４１を介して接合して改装サッシユニット１を形成する工程も含めて下地枠取付工程としても良い。下地取付工程は、改装サッシユニット１を施工現場に搬入する前に工場などにて行われる。
【００５３】
ところで、既設サッシから改装サッシ１０に改装する場合には、例えば、単板のガラスで構成される障子を有する既設サッシから、複層ガラスで構成される障子を有する改装サッシに変更する場合がある。この場合には、既設枠５０の見込み方向の幅が、改装サッシ１０の改装枠２０の見込み方向の幅より狭いため、図２、図３に示すように、既設枠５０の屋内側に飼木６３を設ける。飼木６３は、窓まぐさ３ａ、窓台３ｂ、柱３ｃにおいて、開口２の中央側の面に当接させて、見込み方向において屋内側に配置させて固定する。
【００５４】
次に、組み立てた改装サッシユニット１を屋外側から、既設枠５０及び飼木６３の内側に挿入する。このとき、下地上枠３１の上取付片３１ｎが既設枠５０の既設網戸上レール５１ｃの屋外に臨む面５１ｄに当接されて位置決めされ、屋外側から螺合されるビス６５にて上取付片３１ｎを既設網戸上レール５１ｃに固定する。また、下地下枠３２の固定片３２ｉが既設枠５０の既設網戸下レール５２ｃの屋外に臨む面を形成する窓台固定部５２ｄに当接されて位置決めされ、屋外側から螺合されるビス６４ａにて固定片３２ｉを既設網戸下レール５２ｃとともに躯体３に固定する。
【００５５】
その後、下地上枠３１の木枠部３１ｂ、下地下枠３２の木枠部３２ｂ、下地縦枠３３の木枠部３３ｂを飼木６３とともに、開口２の中央側から螺号する長いビス６４ｃを貫通させて、下地枠３０を躯体３に固定する。
【００５６】
最後に、屋内側に額縁６０を取り付けるとともに、屋外側の下地枠３０の外周部分にシール材２９を充填して、改装サッシ１０の取り付け作業が終了する。
【００５７】
本実施形態の改装サッシユニット１によれば、新たに設けられる改装サッシ１０の改装枠２０には下地枠３０が取り付けられているので、施工現場では、下地枠３０が取り付けられた改装枠２０を既設枠５０に固定するだけで改装サッシ１０を備えることが可能である。このため、容易に改装枠２０を取り付けることが可能である。また、下地枠３０は、屋外側に配置されて改装サッシ１０の改装枠２０と係合又は固定されるアルミ枠部３１ａ、３２ａ、３３ａ、及び、室内側に配置されアルミ枠部３１ａ、３２ａ、３３ａと連結され躯体３に固定される木枠部３１ｂ、３２ｂ、３３ｂを有しているので、屋外側にてアルミ枠部３１ａ、３２ａ、３３ａを係合又は固定して位置決めし、室内側の木枠部３１ｂ、３２ｂ、３３ｂを既設枠５０に合わせて加工して躯体３に固定することにより改装サッシ１０を取り付けることが可能である。このため、既設枠５０に合わせて加工する部位は非金属の木枠部３１ｂ、３２ｂ、３３ｂなので加工が容易である。また、下地枠５０が室外側にアルミ枠部３１ａ、３２ａ、３３ａを有し、室内側に木枠部３１ｂ、３２ｂ、３３ｂを有しているので、室外の熱が下地枠３０により室内側に伝達されることはない。このため、断熱性を有する改装サッシユニット１を提供することが可能である。
【００５８】
また、下地枠３０のアルミ枠部３１ａ、３２ａ、３３ａが既設枠５０の室外側に設けられて室外に臨む面を形成する、既設網戸上レール５１ｃ及び既設網戸下レール５２ｃ（窓台固定部５２ｄ）に固定されるので、位置決めが容易である。特に、既設網戸上レール５１ｃ及び既設網戸下レール５２ｃは、既設の網戸が案内される部位であって最も室外側に設けられており、見込み方向における位置の基準として扱いやすい。このため、下地枠３０のアルミ枠部３１ａ、３２ａ、３３ａを、既設サッシの既設網戸上レール５１ｃ及び既設網戸下レール５２ｃを見込み方向の基準として係合又は固定することにより、改装サッシ１０を傾かせることなく適切な位置に取り付けることが可能である。本実施形態においては、アルミ枠部３１ａ、３２ａ、３３ａを、既設サッシの既設網戸上レール５１ｃ及び既設網戸下レール５２ｃに係合又は固定した例について説明したが、上下の網戸用レールの他に網戸の縦框と係合する部位のみに係合又は固定しても、また、上下の網戸用レール及び網戸の縦框と係合する部位にて既設枠５０の４辺に係合又は固定されていても良い。
【００５９】
また、改装枠２０と下地枠３０の木枠部３１ｂ、３２ｂ、３３ｂとの間には保持金具４０、４１が介在されているので、保持金具４０、４１の位置を調整することにより、互いにサイズの異なる各種改装枠であっても同一の下地枠３０にて取り付けることが可能である。このため、より汎用性の高い改装サッシユニット１を実現することが可能である。
【００６０】
また、アルミ枠部３１ａ、３２ａ、３３ａと改装枠２０との間にシール部材２８が全周に亘って設けられており、アルミ枠部３１ａ、３２ａ、３３ａは木枠部３１ｂ、３２ｂ、３３ｂの屋外側にあるので、木枠部３１ｂ、３２ｂ、３３ｂ側には水が浸入しない。このため、水密性に優れた改装サッシユニット１を提供することが可能である。
【００６１】
また、下地枠３０下地縦枠３３の中空部３３ｅと下地枠３０の下地上枠３１の中空部３１ｅとが連通孔３３ｊにて互いに連通する構成としたので、木枠部３１ｂ、３２ｂ、３３ｂからする隔離された中空部３１ｅ、３３ｅを通して室外側から浸入した水を、木枠部３１ｂ、３２ｂ、３３ｂ側に至らせることなく排出することが可能である。
【００６２】
また、本実施形態の改装サッシユニット１の取付方法によれば、下地枠３０を取り付けられている改装枠２０を既設枠５０に取り付けるので、施工現場では、容易に改装サッシ１０を既設サッシに取り付けることが可能である。また、屋外側に配置されて改装サッシ１０の改装枠２０と係合されるアルミ枠部３１ａ、３２ａ、３３ａ、及び、屋内側に配置され既設枠５０が固定されている躯体３に固定される木枠部３１ｂ、３２ｂ、３３ｂを有する下地枠３０を、屋外側にてアルミ枠部３１ａ、３２ａ、３３ａを係合させて位置決め及び固定し、屋内側の木枠部３１ｂ、３２ｂ、３３ｂを既設枠５０に合わせて加工して改装サッシ１０を既設枠２０に固定する。このため、木枠部３１ｂ、３２ｂ、３３ｂの加工は容易なので、設備が揃わない現場での作業であっても容易に改装サッシ１０を取り付けることが可能である。
【００６３】
本実施形態においては、下地枠３０の木枠部３１ｂ、３２ｂ、３３ｂの寸法を工場等で施工現場の既設枠５０に合わせて調節しておく例について説明したが、木枠部３１ｂ、３２ｂ、３３ｂを切断するだけなので、現場にて加工しても良い。すなわち、既設枠５０に合わせて加工する部位は非金属の木枠部３１ｂ、３２ｂ、３３ｂなので加工が容易であり、設備が揃わない現場での作業であっても容易に改装サッシ１０を取り付けることが可能である。
【００６４】
また、本実施形態においては、下地枠３０の非金属部分を木製としたが、必ずしも木製でなくても良く、例えば、合成木や合成樹脂であっても構わない。
【００６５】
上記実施形態においては、下地枠３０の木枠部３１ｂ、３２ｂ、３３ｂが飼木６３を介して躯体３に固定されている例について説明したが、木枠部３１ｂ、３２ｂ、３３ｂは既設枠５０を介して躯体３に固定されていても良い。また、下地枠３０は、アルミ枠部３１ａ、３２ａ、３３ａが直接躯体３に固定されていても構わない。例えば、アルミ枠部３１ａ、３２ａ、３３ａが屋内側にて躯体３と対向する位置まで延出されている場合には、アルミ枠部３１ａ、３２ａ、３３ａの躯体３と対向する部位にて躯体３に固定されていても良い。
【００６６】
また、上記実施形態においては、改装枠２０の改装上枠２１、改装縦枠２３の屋内側の部位が、直接ビス６４ａにて下地枠３０の木枠部３１ｂ、３３ｂに固定されるとともに保持金具４０を介して木枠部３１ｂ、３３ｂに固定されており、改装下枠２２の屋内側の部位が、下地枠３０の木枠部３２ｂに保持金具４０を介して木枠部３２ｂに固定されている例について説明したが、保持金具４０、４１を介在することなく、改装枠２０は木枠部３１ｂ、３２ｂ、３３ｂに直接固定されていても良い。
【００６７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６８】
１  改装サッシユニット、３  躯体、１０  改装サッシ、２０  改装枠、
２８  シール部材、３０  下地枠、３１  下地上枠、３１ａ  アルミ枠部、
３１ｂ  木枠部、３１ｅ  中空部、３２  下地下枠、３２ａ  アルミ枠部、
３２ｂ  木枠部、３２ｆ  中空部、３３  下地縦枠、３３ａ  アルミ枠部、
３３ｂ  木枠部、３３ｅ  中空部、４０  保持金具、４１  保持金具、５０  既設枠、
５１ｃ  既設網戸上レール、５２ｃ  既設網戸下レール、５３ｄ  既設挿入片
【図１】
2011074681.tif 000003
【図２】
2011074681.tif 000004
【図３】
2011074681.tif 000005